(57)【要約】  衣類処理装置のドア構造は、開口部を前面に有する外箱と、外箱の前面側に取り付けられ、開口部を開閉するドアとを備える衣類処理装置のドア構造であって、ドアは、平板状のガラス板(６２)と、ガラス板(６２)の後面側に配置され、ガラス板(６２)の周縁部の裏面に一部が接するベース部材(６１)と、ベース部材(６１)に取り付けられ、ベース部材(６１)およびガラス板(６２)の周囲４辺のうちの少なくとも１つの側面を覆うと共にガラス板(６２)の側縁部の前面を覆う枠部材(６４,６５)とを有する。
2018138946.tif 000002
【特許請求の範囲】
【請求項１】
開口部を前面に有する外箱と、上記外箱の前面側に取り付けられ、上記開口部を開閉するドアとを備えた衣類処理装置のドア構造であって、
上記ドアは、
平板状のガラス板と、
上記ガラス板の後面側に配置され、上記ガラス板の周縁部の裏面に一部が接するベース部材と、
上記ベース部材に取り付けられ、上記ベース部材および上記ガラス板の周囲４辺のうちの少なくとも１つの側面を覆うと共に上記ガラス板の側縁部の前面を覆う枠部材と
を有することを特徴とする衣類処理装置のドア構造。
【請求項２】
請求項１に記載の衣類処理装置のドア構造において、
上記枠部材は、
上記ガラス板の側面および上記ベース部材の側面を覆う側面カバー部と、
上記ガラス板の側縁部の前面を覆うように上記側面カバー部の前縁から折曲して延在する折曲部と、
上記側面カバー部から上記ベース部材の後面側に延在し、上記ベース部材の後面側に取り付けられた取付部と
を有することを特徴とする衣類処理装置のドア構造。
【請求項３】
請求項２に記載の衣類処理装置のドア構造において、
上記枠部材の上記取付部は、位置決め用の凹部または凸部の少なくとも一方が設けられていると共に、
上記ベース部材は、上記枠部材の上記位置決め用の凹部または凸部の少なくとも一方が係合する係合部が設けられていることを特徴とする衣類処理装置のドア構造。
【請求項４】
請求項１から３までのいずれか１つに記載の衣類処理装置のドア構造において、
上記ドアは、
上記枠部材と共に締結部材により上記ベース部材に取り付けられた裏面カバーを有することを特徴とする衣類処理装置のドア構造。
【発明の詳細な説明】
【援用記載】
【０００１】
本出願は２０１７年１月２６日に出願された日本出願の特願２０１７−０１１９１３に対して、優先権の利益を主張するものであり、その日本出願に記載された全ての記載内容を援用するものである。
【技術分野】
【０００２】
この発明は、衣類処理装置のドア構造に関する。
【背景技術】
【０００３】
従来、衣類処理装置のドア構造としては、ガラス板とそのガラス板を保持するガラス保持部とを有する外蓋によって開口部を開閉する洗濯機のドア構造がある(例えば、特開２０１６−１０７１２０号公報(特許文献１)参照)。【０００４】
上記洗濯機のドア構造のガラス保持部は、ガラス板の前縁部の表面および前縁部の裏面に跨がって断面Ｕ字状に形成され、ガラス板の前縁部を幅方向に亘って保持している。
【先行技術文献】
【特許文献】
【０００５】
【特許文献１】特開２０１６−１０７１２０号公報
【発明の概要】
【発明が解決しようとする課題】
【０００６】
上記従来の洗濯機のドア構造では、ガラス板の表面部と側面部に加えて裏面部までガラス板の厚さの断面Ｕ字状の溝をガラス保持部に形成する必要があるため、ガラス保持部用の金型構造が複雑になり、金型が高くなってコストが高くつくという問題がある。【０００７】
そこで、この発明の課題は、簡単な構成でガラス板を保持できる衣類処理装置のドア構造を提供することにある。
【課題を解決するための手段】
【０００８】
この発明の一態様に係る衣類処理装置のドア構造は、
開口部を前面に有する外箱と、上記外箱の前面側に取り付けられ、上記開口部を開閉するドアとを備えた衣類処理装置のドア構造であって、
上記ドアは、
平板状のガラス板と、
上記ガラス板の後面側に配置され、上記ガラス板の周縁部の裏面に一部が接するベース部材と、
上記ベース部材に取り付けられ、上記ベース部材および上記ガラス板の周囲４辺のうちの少なくとも１つの側面を覆うと共に上記ガラス板の側縁部の前面を覆う枠部材と
を有することを特徴とする。
【発明の効果】
【０００９】
以上より明らかなように、この発明によれば、平板状のガラス板の周縁部の裏面に一部が接するベース部材に、ベース部材の側面およびガラス板の側面を覆うと共に、ガラス板の側縁部の前面を覆う枠部材を取り付けることによって、簡単な構成でガラス板を保持できる衣類処理装置のドア構造を提供することにある。
【図面の簡単な説明】
【００１０】
【図１】図１はこの発明の第１実施形態の衣類処理装置のドア構造の一例としてのドラム式洗濯乾燥機の斜視図である。
【図２】図２は上記ドラム式洗濯乾燥機のドアを開けた状態の斜視図である。
【図３】図３は上記ドラム式洗濯乾燥機の側面図である。
【図４】図４は上記ドラム式洗濯乾燥機の正面図である。
【図５】図５は上記ドラム式洗濯乾燥機のドアの裏面図である。
【図６】図６は上記ドアからドア傾斜部を取り外したドア本体部の正面斜視図である。
【図７】図７は上記ドア本体部の分解斜視図である。
【図８】図８は上記ドア本体部の背面図である。
【図９】図９は上記ドア本体部から裏面カバーを外してベース部材を露出させた状態の背面図である。
【図１０】図１０は図５のＸ−Ｘ線から見たドアの縦断面図である。
【図１１Ａ】図１１Ａは図８のXIA−XIA線から見た横断面図である。
【図１１Ｂ】図１１Ｂは図１１Ａに示す点線で囲まれた要部の拡大断面図である。
【図１２Ａ】図１２Ａは図８のXIIA−XIIA線から見た横断面図である。
【図１２Ｂ】図１２Ｂは図１２Ａに示す点線で囲まれた要部の拡大断面図である。
【図１３Ａ】図１３Ａは図８のXIIIA−XIIIA線から見た横断面図である。
【図１３Ｂ】図１３Ｂは図１３Ａに示す点線で囲まれた要部の拡大断面図である。
【図１４】図１４は上記ドアの左枠部材の斜視図である。
【発明を実施するための形態】
【００１１】
以下、この発明の衣類処理装置のドア構造を図示の実施の形態により詳細に説明する。
【００１２】
〔第１実施形態〕
図１はこの発明の第１実施形態の衣類処理装置のドア構造の一例としてのドラム式洗濯乾燥機１の斜視図を示している。図１において、１０１は上面部、１０２は排水フィルタ用ドア、１０３は前面部、１０４は後面部、１０５は側板部、１０６は底台である。
【００１３】
この第１実施形態のドラム式洗濯乾燥機１は、図１に示すように、外箱１００と、外箱１００の開口部１００ａ(図２に示す)を開閉するドア５０と、外箱１００内に配置された水槽(図示せず)と、その水槽内に回転可能に配置された回転ドラム３(図２に示す)を備える。
【００１４】
また、外箱１００の上面部１０１の左後面側に給水口１０を設けているまた、外箱１００の上面部１０１の右後面側に気流フィルタ装置３０を装着している。また、外箱１００の上面部１０１の右前面側に電源ボタン３１を設けている。さらに、外箱１００の上面部１０１の左上側に洗剤ケース１１を装着している。
【００１５】
ドア５０は、正面視で略四角形状のドア本体部５１と、ドア本体部５１の上部から後方に傾斜するように設けられたドア傾斜部５２とを備える。このドア５０のドア傾斜部５２に、運転動作を選択して指示入力すると共に運転状態を表示する表示操作部５４を設けている。
【００１６】
また、図２はドラム式洗濯乾燥機１のドア５０を開けた状態の斜視図を示し、図３はドラム式洗濯乾燥機１の側面図を示し、図４はドラム式洗濯乾燥機１の正面図を示している。図２〜図４において、図１に示すドラム式洗濯乾燥機１と同一の構成部には同一参照番号を付している。
【００１７】
ドラム式洗濯乾燥機１の外箱１００は、図２〜図４に示すように、上面部１０１と、前面部１０３と、後面部１０４と、一対の側板部１０５(図２,図３では一方を示す)と、底台１０６とによって構成されている。
【００１８】
外箱１００の前面部１０３は、第１平面部１０３ａと、第１平面部１０３ａの上側に延在する上傾斜部１０３ｂと、第１平面部１０３ａの下側に延在する第２平面部１０３ｃとを有する。
【００１９】
上記前面部１０３には、洗濯物の出し入れに使用される開口部１００ａが設けられている。上記前面部１０３の開口部１００ａの周縁に環状部材１７を設けている。
【００２０】
また、前面部１０３の前面側には、開口部１００ａを開閉するためのドア５０を、２つのヒンジ部４０で回動可能に取り付けている。
【００２１】
また、ドア５０の後面側には、ユーザーによって操作されるロック解除部５３が設けられている。ロック解除部５３は、ドア５０の厚み方向の前側にスライド移動することにより、ドア５０のロック解除を行う機能を有する。係合爪５７は、ロック解除部５３の動きに連動するように構成されている。
【００２２】
ドア５０が閉められた状態で、ユーザーの操作によりロック解除部５３がドア５０の厚み方向の前側にスライド移動すると、係合爪５７が非係合側に移動することにより被係合部２０に対する係合爪５７の係合が解除されて、ドア５０が開放される。また、ドア５０を開いた状態から閉めると、ドア５０の係合爪５７が外箱１００の被係合部２０に係合する。
【００２３】
上記環状部材１７と外箱１００の開口部１００ａの周縁部分とで、ゴムや軟質樹脂等の弾性体から成るパッキン１８を挟んで保持している。これにより、ドア５０を閉じると、ドア５０に取り付けられた円錐台形状のガラス製の窓部材５６がパッキン１８に密着して、回転ドラム３を収容する水槽(図示せず)は水密かつ気密が保たれ、水槽内の液体が水槽外へ漏れ出ることを防止できる。
【００２４】
また、外箱１００内に配置された水槽および回転ドラム３は、ドア５０側に開口しており、ドア５０を開くことにより外箱１００の開口部１００ａを介して回転ドラム３内に洗濯物(図示せず)を出し入れできる。
【００２５】
また、上記ドラム式洗濯乾燥機１は、外箱１００内の後面側かつ下部に配置された乾燥用のヒートポンプユニット(図示せず)と、そのヒートポンプユニットを介して水槽内の空気を循環させるための循環経路(図示せず)を備えている。
【００２６】
また、外箱１００の第２平面部１０３ｃの左下側に排水フィルタ用ドア１０２を開閉可能に取り付けている。この排水フィルタ用ドア１０２を開いて、外箱１００内の下側に装着された糸屑フィルタ(図示せず)を着脱する。
【００２７】
上記構成のドラム式洗濯乾燥機１では、表示操作部５４(図１に示す)から運転コースの選択や各工程の時間設定などが入力されると、その選択情報や設定情報が入力された制御装置(図示せず)によって、例えば洗濯から乾燥までの一連の動作を実行する。
【００２８】
図５は上記ドラム式洗濯乾燥機１のドア５０の裏面図を示し、図６はドア５０からドア傾斜部５２を取り外したドア本体部５１の正面斜視図を示している。図５,図６において、図１に示すドラム式洗濯乾燥機１と同一の構成部には同一参照番号を付している。
【００２９】
図６に示すように、表示操作部５４を有するドア傾斜部５２は、ドア本体部５１に対して取り外し可能に構成されている。ドア本体部５１の上端部に設けられた複数の連結部５８が、ドア傾斜部５２の下端部に設けられた複数の被連結部５９に対して例えばネジを介して連結して、ドア本体部５１とドア傾斜部５２とが固定される。
【００３０】
図７はドア本体部５１の分解斜視図を示している。図７では、図面を見やすくするために窓部材５６を省略している。
【００３１】
図７に示すように、ドア本体部５１は、開口部６１ａを有するベース部材６１と、ベース部材６１の前面側に取り付けられる平板状のガラス板６２と、ベース部材６１の後面側に取り付けられ、開口部６３ａを有する裏面カバー６３と、ドア本体部５１の左側に配置された左枠部材６４と、ドア本体部５１の右側に配置された右枠部材６５と、後方に突出する窓部材５６(図５,図６に示す)とを有する。
【００３２】
ガラス板６２は、透光性を有するガラス材料からなり、窓部材５６も透光性を有するガラス材料や樹脂材料からなる。したがって、ドア５０の前面側から回転ドラム３内部を見ると、ガラス板６２および窓部材５６を通じて、回転ドラム３内部が視認できる。
【００３３】
図８は上記ドア本体部５１の背面図を示している。このドア本体部５１から裏面カバー６３を外してベース部材６１を露出させた状態の背面図を図９に示す。図８,図９において、図７と同一の構成部には同一参照番号を付している。
【００３４】
図８に示すように、裏面カバー６３の両側部に段部６３ｃを夫々形成している。
【００３５】
図１０は図５のＸ−Ｘ線から見たドア５０の縦断面図を示している。図１０において、図５〜図７と同一の構成部には同一参照番号を付している。
図１０に示すように、ベース部材６１は、開口部６１ａの外周縁に、前面から後面に向かって徐々に内径が小さくなっている環状部６１ｂを設けている。
【００３６】
また、窓部材５６は、前面側が開口するドーム状の本体部５６ａと、その本体部５６ａの前面側開口の外周縁に設けられたフランジ部５６ｂとを有する。
【００３７】
上記ベース部材６１の環状部６１ｂの後端と、裏面カバー６３の開口部６３ａの内周縁との間に、窓部材５６のフランジ部５６ｂが挟持されている。
【００３８】
また、ベース部材６１の下端に、前方に屈曲する屈曲部６１ｅを全幅に亘って設けている。このベース部材６１の屈曲部６１ｅによって、ガラス板６２の下端が支持されている。
【００３９】
図１１Ａは図８のXIA−XIA線から見た横断面図を示し、図１１Ｂは図１１Ａに示す点線で囲まれた要部の拡大断面図を示している。図１１Ａ,図１１Ｂにおいて、図７〜図１０と同一の構成部には同一参照番号を付している。
【００４０】
図１１Ａ,図１１Ｂに示すように、ガラス板６２の側縁部の裏面にベース部材６１の側縁部が接している。この互いに接触しているガラス板６２とベース部材６１との間の領域を接着剤により接着している。
【００４１】
また、図１１Ｂにおいて、ベース部材６１の側縁部に後面側に突出する突起部６１ｃを設けている。この突起部６１ｃは、係合部の一例である。また、左枠部材６４は、ベース部材６１の側面およびガラス板６２の側面を覆う側面カバー部６４ａと、その側面カバー部６４ａの前縁から折曲してガラス板６２の側縁部の前面を覆うように延在する折曲部６４ｂと、側面カバー部６４ａからベース部材６１の後面側に延在し、ベース部材６１の後面側に取り付けられた取付部６４ｃ(図１４参照)とを有する。
【００４２】
上記左枠部材６４の取付部６４ｃに設けられた凹部３００によって、ベース部材６１の突起部６１ｃの上側と下側および後面側を囲んでいる。この凹部３００は、位置決め用の凹部の一例である。また、凹部３００に穴３００ａを設けている。
【００４３】
なお、図示しないが、右枠部材６５は、ロック解除部５３用の切り欠きを除いて左枠部材６４に対して左右対象な形状である。
【００４４】
また、裏面カバー６３は、側縁部から前面側に屈曲して延びる側壁部６３ｂと、その側壁部６３ｂの前端から外側に屈曲して延びる段部６３ｃとを有する。
【００４５】
図１１Ａ,図１１Ｂでは、裏面カバー６３と取付部６４ｃに設けられた穴３００ａを貫通するネジ６６がベース部材６１の突起部６１ｃに設けられたネジ穴３１０に螺合している。ネジ６６は、締結部材の一例である。
【００４６】
図１２Ａは図８のXIIA−XIIA線から見た横断面図を示し、図１２Ｂは図１２Ａに示す点線で囲まれた要部の拡大断面図を示している。図１２Ａ,図１２Ｂにおいて、図７〜図１０と同一の構成部には同一参照番号を付している。
【００４７】
図１２Ｂに示すように、ベース部材６１の側縁部に後面側に突出する係合爪６１ｄを設けている。この係合爪６１ｄは、係合部の一例である。
【００４８】
また、左枠部材６４の取付部６４ｃに設けられた凹部２００に、ベース部材６１に設けられた係合爪６１ｄを係合している。この凹部２００は、位置決め用の凹部の一例である。ここで、凹部は、底部を有する窪みであってもよいし、凹部２００のように貫通する穴であってもよい。
【００４９】
また、図１３Ａは図８のXIIIA−XIIIA線から見た横断面図を示し、図１３Ｂは図１３Ａに示す点線で囲まれた要部の拡大断面図を示している。図１３Ａ,図１３Ｂにおいて、図７〜図１０と同一の構成部には同一参照番号を付している。
【００５０】
図１３Ｂに示すように、ガラス板６２の側縁部とベース部材６１の側縁部とを、左枠部材６４の折曲部６４ｂと取付部６４ｃで挟んで保持している。同様に、ガラス板６２の側縁部とベース部材６１の側縁部とを、右枠部材６５の折曲部(図示せず)と取付部(図示せず)で挟んで保持している。
【００５１】
図１４は上記左枠部材６４の斜視図を示している。図１４において、図１１Ａ,図１１Ｂ,図１２Ａ,図１２Ｂ,図１３Ａ,図１３Ｂと同一の構成部には同一参照番号を付している。また、図１１Ａ,図１１Ｂにおける左枠部材６４の断面は、Ａ−Ａ線から見た断面であり、図１２Ａ,図１２Ｂにおける左枠部材６４の断面は、Ｂ−Ｂ線から見た断面であり、図１３Ａ,図１３Ｂにおける左枠部材６４の断面は、Ｃ−Ｃ線から見た断面である。
【００５２】
図１４に示すように、左枠部材６４は、側面カバー部６４ａと、その側面カバー部６４ａの前縁から折曲して延在する折曲部６４ｂと、側面カバー部６４ａから側方かつ内側に向かって取付部６４ｃとを有する。この取付部６４ｃには、互いに間隔をあけて位置決め用の複数の凹部２００を設けている。また、取付部６４ｃには、凹部２００間に互いに間隔をあけて位置決め用の２つの凹部３００を設けている。この凹部３００には、穴３００ａを設けている。なお、取付部６４ｃには、凹部２００と凹部３００以外の領域に、複数の切り欠き４０１〜４０４を上側から下側に向かって順に設けている。
【００５３】
また、取付部６４ｃの上端に、穴５００ａを有する屈曲部５００を設けている。一方、取付部６４ｃの下端に、穴６００ａを有する屈曲部６００を設けている。
【００５４】
なお、上記ドア５０の組み立ては、次のように行われる。
【００５５】
まず、ベース部材６１の前面側に、ガラス板６２を取り付ける。このとき、互いに接触しているガラス板６２とベース部材６１との間の領域を接着剤により接着する。
【００５６】
次に、ガラス板６２が取り付けられたベース部材６１の両側に、左枠部材６４,右枠部材６５を取り付ける。このとき、図１３Ｂに示すように、ガラス板６２の側縁部とベース部材６１の側縁部とを、左枠部材６４の折曲部６４ｂと取付部６４ｃで挟んで保持する。また、図１１Ｂ,図１２Ｂに示すように、左枠部材６４,右枠部材６５の取付部６４ｃに設けられた位置決め用の凹部２００,３００を、ベース部材６１に設けられた突起部６１ｃ,係合爪６１ｄに係合させることによって、左枠部材６４,右枠部材６５が位置決めされる。
【００５７】
次に、ベース部材６１のヒンジ取付部４１(図９に示す)にヒンジ部４０を取り付ける。
【００５８】
次に、ベース部材６１の後面側に窓部材５６と裏面カバー６３を取り付ける。このとき、図１０に示すように、ベース部材６１の環状部６１ｂの後端と、裏面カバー６３の開口部６３ａの内周縁との間に、窓部材５６のフランジ部５６ｂが挟持される。これにより、ドア本体部５１が組み立てられる。
【００５９】
次に、図５,図６に示すように、ドア本体部５１の上部にドア傾斜部５２を取り付けることにより、ドア５０の組み立てが完了する(図５,図６ではヒンジ部４０は図示せず)。
【００６０】
上記構成のドラム式洗濯乾燥機１のドア機構によれば、ガラス板６２の後面側に配置されたベース部材６１の一部が、ガラス板６２の周縁部の裏面に接することで、ガラス板６２とベース部材６１との周縁部が互いに重なり合うと共に、ベース部材６１に取り付けられた左枠部材６４,右枠部材６５により、ベース部材６１の側面およびガラス板６２の側面を覆うと共に、ガラス板６２の側縁部の前面を覆っている。これによって、簡単な構成でガラス板６２を保持することができる。
【００６１】
また、上記ガラス板６２の側面およびベース部材６１の側面を覆う側面カバー部６４ａと、ガラス板６２の側縁部の前面を覆うように側面カバー部６４ａの前縁から折曲して延在する折曲部６４ｂと、側面カバー部６４ａからベース部材６１の後面側に延在し、ベース部材６１の後面側に取り付けられた取付部６４ｃとを有する左枠部材６４,右枠部材６５を用いることによって、左枠部材６４,右枠部材６５用の金型の構成を簡略化でき、コストを低減することができる。
【００６２】
また、上記左枠部材６４,右枠部材６５の取付部６４ｃに設けられた位置決め用の凹部２００,３００を、ベース部材６１に設けられた突起部６１ｃ,係合爪６１ｄに係合させることによって、ベース部材６１に対して左枠部材６４,右枠部材６５の位置決めが容易にできる。
【００６３】
なお、位置決め用の凹部２００,３００に限らず、ベース部材に設けられた係合部に係合する凸部であってもよいし、位置決め用の凹部と凸部の両方を用いてもよい。
【００６４】
また、上記左枠部材６４,右枠部材６５と共に裏面カバー６３をネジ６６(締結部材)によりベース部材６１に取り付けることによって、左枠部材６４,右枠部材６５と裏面カバー６３のベース部材６１への取付構造を簡略化することができる。
【００６５】
〔第２実施形態〕
この発明の第２実施形態の衣類処理装置のドア構造の一例としてのドラム式洗濯乾燥機は、ドアを除いて第１実施形態のドラム式洗濯乾燥機１と同一の構成をしている。
【００６６】
第１実施形態のドラム式洗濯乾燥機１では、ドア５０は、左枠部材６４,右枠部材６５により、ベース部材６１の側面およびガラス板６２の側面を覆うと共に、ガラス板６２の側縁部の前面を覆っていたが、この第２実施形態のドラム式洗濯乾燥機では、ベース部材６１の側面,上面,底面およびガラス板６２の側面,上面,底面を覆うと共に、ガラス板６２の周縁部の前面を覆う枠部材を備えた構成としている。ここで、ベース部材６１およびガラス板６２の上面と底面の夫々は側面の１つであり、ベース部材６１およびガラス板６２の周囲４辺のうちの少なくとも１つの側面を覆うと共に、ガラス板６２の周縁部の前面を覆う枠部材を備えた構成としてもよい。
【００６７】
上記第２実施形態のドラム式洗濯乾燥機は、第１実施形態のドラム式洗濯乾燥機１と同様の効果を有する。
【００６８】
〔第３実施形態〕
この発明の第３実施形態の衣類処理装置の一例としてのドラム式乾燥機は、洗濯機能を有しない点を除いて第１実施形態のドラム式洗濯乾燥機１と同一の構成をしている。
【００６９】
上記第３実施形態のドラム式乾燥機は、第１実施形態のドラム式洗濯乾燥機１と同様の効果を有する。
【００７０】
上記第１〜第３実施形態では、衣類処理装置として、ドラム式洗濯乾燥機１およびドラム式乾燥機について説明したが、他の構成の衣類処理装置にこの発明を適用してもよい。
【００７１】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００７２】
この発明および実施形態をまとめると、次のようになる。
【００７３】
この発明の一態様に係る衣類処理装置のドア構造は、
開口部１００ａを前面に有する外箱１００と、上記外箱１００の前面側に取り付けられ、上記開口部１００ａを開閉するドア５０とを備えた衣類処理装置のドア構造であって、
上記ドア５０は、
平板状のガラス板６２と、
上記ガラス板６２の後面側に配置され、上記ガラス板６２の周縁部の裏面に一部が接するベース部材６１と、
上記ベース部材６１に取り付けられ、上記ベース部材６１および上記ガラス板６２の周囲４辺のうちの少なくとも１つの側面を覆うと共に上記ガラス板６２の側縁部の前面を覆う枠部材６４,６５と
を有することを特徴とする。
【００７４】
上記構成によれば、ガラス板６２の後面側に配置されたベース部材６１の一部が、ガラス板６２の周縁部の裏面に接することで、ガラス板６２とベース部材６１との周縁部が互いに重なり合うと共に、ベース部材６１に取り付けられた枠部材６４,６５により、ベース部材６１の側面およびガラス板６２の側面を覆うと共に、ガラス板６２の側縁部の前面を覆うことによって、簡単な構成でガラス板６２を保持することができる。
【００７５】
また、一実施形態の衣類処理装置のドア構造では、
上記枠部材６４,６５は、
上記ガラス板６２の側面および上記ベース部材６１の側面を覆う側面カバー部６４ａと、
上記ガラス板６２の側縁部の前面を覆うように上記側面カバー部６４ａの前縁から折曲して延在する折曲部６４ｂと、
上記側面カバー部６４ａから上記ベース部材６１の後面側に延在し、上記ベース部材６１の後面側に取り付けられた取付部６４ｃと
を有する。
【００７６】
上記実施形態によれば、ガラス板６２の側面およびベース部材６１の側面を覆う側面カバー部６４ａと、ガラス板６２の側縁部の前面を覆うように側面カバー部６４ａの前縁から折曲して延在する折曲部６４ｂと、側面カバー部６４ａからベース部材６１の後面側に延在し、ベース部材６１の後面側に取り付けられた取付部６４ｃとを有する枠部材６４,６５を用いることによって、枠部材６４,６５用の金型の構成を簡略化できる。
【００７７】
また、一実施形態の衣類処理装置のドア構造では、
上記枠部材６４,６５の上記取付部６４ｃは、位置決め用の凹部２００,３００または凸部の少なくとも一方が設けられていると共に、
上記ベース部材６１は、上記枠部材６４,６５の上記位置決め用の凹部２００,３００または凸部の少なくとも一方が係合する係合部６１ｃ,６１ｄ設けられている。
【００７８】
上記実施形態によれば、枠部材６４,６５の取付部６４ｃに設けられた位置決め用の凹部２００,３００または凸部の少なくとも一方を、ベース部材６１に設けられた係合部６１ｃ,６１ｄに係合させることによって、ベース部材６１に対して枠部材６４,６５の位置決めが容易にできる。
【００７９】
また、一実施形態の衣類処理装置のドア構造では、
上記ドア５０は、
上記枠部材６４,６５と共に締結部材により上記ベース部材６１に取り付けられた裏面カバー６３を有する。
【００８０】
上記実施形態によれば、枠部材６４,６５と共に裏面カバー６３を締結部材６６によりベース部材６１に取り付けることによって、枠部材６４,６５と裏面カバー６３のベース部材６１への取付構造を簡略化できる。
【符号の説明】
【００８１】
１…ドラム式洗濯乾燥機
３…回転ドラム
３ａ…回転ドラム開口部
４…ドラムモータ
５…環状ガイド部
１０…給水口
１１…洗剤ケース
１２…ダンパ
１３…給水弁
１４…冷却水ダクト
１５…給水ダクト
１６…パッキン保持部材
１７…環状部材
１７ａ…傾斜面
１８…パッキン
１９…排水ダクト
２０…被係合部
３０…気流フィルタ装置
３１…電源ボタン
４０…ヒンジ部
５０…ドア
５１…ドア本体部
５２…ドア傾斜部
５３…ロック解除部
５４…表示操作部
５６…窓部材
５７…係合爪
６１…ベース部材
６１ａ…開口部
６１ｂ…環状部
６１ｃ…突起部(係合部)
６１ｄ…係合爪(係合部)
６１ｅ…屈曲部
６２…ガラス板
６３…裏面カバー
６３ａ…開口部
６３ｂ…側壁部
６３ｃ…段部
６４…左枠部材
６４ａ…側面カバー部
６４ｂ…折曲部
６４ｃ…取付部
６５…右枠部材
６６…ネジ(締結部材)
７０…糸屑フィルタ
１００…外箱
１００ａ…開口部
１０１…上面部
１０２…排水フィルタ用ドア
１０３…前面部
１０３ａ…第１平面部
１０３ｂ…上傾斜部
１０３ｃ…第２平面部
１０４…後面部
１０５…側板部
１０６…底台
２００,３００…凹部
【図１】
2018138946.tif 000003
【図２】
2018138946.tif 000004
【図３】
2018138946.tif 000005
【図４】
2018138946.tif 000006
【図５】
2018138946.tif 000007
【図６】
2018138946.tif 000008
【図７】
2018138946.tif 000009
【図８】
2018138946.tif 000010
【図９】
2018138946.tif 000011
【図１０】
2018138946.tif 000012
【図１１Ａ】
2018138946.tif 000013
【図１１Ｂ】
2018138946.tif 000014
【図１２Ａ】
2018138946.tif 000015
【図１２Ｂ】
2018138946.tif 000016
【図１３Ａ】
2018138946.tif 000017
【図１３Ｂ】
2018138946.tif 000018
【図１４】
2018138946.tif 000019
【国際調査報告】
2018138946.tif 000020
2018138946.tif 000021
2018138946.tif 000022
2018138946.tif 000023